(57)【要約】      （修正有）【課題】姿勢及び深呼吸を改善するためのシステム全般に関し、改善された姿勢及び深呼吸を習慣的に実践するように条件付けるシステムを提供する。【解決手段】センサー装置１００は、ユーザーと物理的に近接し、ユーザーの位置及び動きをモニタリングし、姿勢改善ソフトウェアプログラムと通信する。システムは、センサー装置によって通信されたデータ及びユーザーに関する収集された情報に基づいて、ユーザーに対する１又は複数の最適姿勢位置及び呼吸エクササイズを算出する。システムは、最適姿勢位置とユーザーとの一致をモニタリングし、姿勢改善システムインターフェース上に表示する。１又は複数の不一致を検出した場合、ユーザーは、少なくとも１つの最適姿勢位置を維持し、定期的に深呼吸をするように注意喚起される。【選択図】図１
2019155078.tif 000002
【特許請求の範囲】
【請求項１】
姿勢及び深呼吸を改善するためのシステムであって：
センサー装置；
１又は複数のユーザー装置上で作動するように構成される姿勢及び呼吸改善ソフトウェアプログラム；
を含み、
前記姿勢及び呼吸改善ソフトウェアプログラムは、呼吸動的グラフィカルユーザーインターフェースを含み；
前記呼吸動的グラフィカルユーザーインターフェースは、前記１又は複数のユーザー装置上に表示され；
前記呼吸動的グラフィカルユーザーインターフェースは、最適呼気吸気グラフィック及び実際の動く動的呼吸グラフィックを含み；
前記実際の動く動的呼吸グラフィックは、ユーザーが視覚的に横隔膜呼吸をモニタリングすることができるように、拡大及び縮小し；
前記センサー装置は：１又は複数のセンサー；無線通信装置；及び筐体を含み；
前記センサー装置は、ユーザーの近傍に配置されるように構成され；
前記無線通信装置は、前記センサー装置が前記姿勢及び呼吸改善ソフトウェアプログラムと通信状態となるように、前記１又は複数のユーザー装置と通信するように構成され；
前記１又は複数のセンサーは、前記ユーザーによる１又は複数の動きを検出及び測定して、複数のセンサーデータを作成し；
前記無線通信装置は、前記複数のセンサーデータを前記１又は複数のユーザー装置に送信し；並びに
前記複数のセンサーデータの前記検出、測定、及び送信により、前記１又は複数のユーザー装置は、前記ユーザーが自身の横隔膜呼吸をモニタリングできるようにする、
システム。
【請求項２】
前記実際の動く動的呼吸グラフィック及び前記最適呼気吸気グラフィックが、それぞれ、広がるドット及び円形である、請求項１に記載のシステム。
【請求項３】
前記最適呼気吸気グラフィックが、前記実際の動く動的呼吸グラフィックの拡大目標である、請求項１に記載のシステム。
【請求項４】
前記最適呼気吸気グラフィックが、前記実際の動く動的呼吸グラフィックの動く拡大目標である、請求項１に記載のシステム。
【請求項５】
前記最適呼気吸気グラフィックが、広がる動く動的円形であり、前記ユーザーが前記実際の動く動的呼吸グラフィックを介して一致させて従うように試みる目標である、請求項１に記載のシステム。
【請求項６】
前記複数のセンサーデータの前記検出、測定、及び送信により、前記１又は複数のユーザー装置は、前記ユーザーが自身の横隔膜呼吸をモニタリングできるようにする、請求項１に記載のシステム。
【請求項７】
前記筐体が、銅コイルを含み、前記銅コイルは、前記センサー装置の無線充電を可能とするように構成される、請求項１に記載のシステム。
【請求項８】
前記銅コイルが、ａ）前記センサー装置から発生する電磁放射線から前記ユーザーを保護し、及びｂ）無線通信を前記ユーザーから離れるように指向するように構成される、請求項７に記載のシステム。
【請求項９】
前記筐体が、凹型の傾斜部を含む、請求項８に記載のシステム。
【請求項１０】
前記姿勢及び呼吸改善ソフトウェアプログラムが、姿勢改善システムインターフェースをさらに含み；
前記姿勢改善システムインターフェースは、前記１又は複数のユーザー装置上で前記ユーザーに表示され；
前記姿勢改善ソフトウェアプログラムは、前記ユーザーに関する情報を収集するように構成され；
前記姿勢及び呼吸改善ソフトウェアプログラムは、前記センサー装置によって通信されたデータ及び前記ユーザーに関する前記収集された情報に基づいて、前記ユーザーに対する１又は複数の最適姿勢位置を算出する、
請求項１に記載のシステム。
【請求項１１】
前記姿勢及び呼吸改善ソフトウェアプログラムが、前記１又は複数の最適姿勢位置のうちの少なくとも１つと前記ユーザーとの一致をモニタリングし；
前記姿勢改善システムインターフェースは、前記一致を表示するように構成され；並びに
前記姿勢及び呼吸改善ソフトウェアプログラムは、１又は複数の不一致を検出して、前記ユーザーに通知し、それによって、ユーザーは、前記１又は複数の最適姿勢位置のうちの前記少なくとも１つを維持するように注意喚起される、
請求項１０に記載のシステム。
【請求項１２】
前記１又は複数の最適姿勢位置のうちの前記少なくとも１つと前記ユーザーとの前記一致の前記表示が、ピクトグラフ標的及び標的ボールを介して表される、請求項１１に記載のシステム。
【請求項１３】
前記ユーザーが前記１又は複数の最適姿勢位置のうちの前記少なくとも１つとの前記一致した状態である場合、前記姿勢標的ボールが、実質的に前記標的の中心内にある、請求項１２に記載のシステム。
【請求項１４】
前記ユーザーが前記１又は複数の最適姿勢位置のうちの前記少なくとも１つを維持できない場合、前記姿勢標的ボールが、実質的に前記標的の前記中心内にはなく、前記姿勢改善システムインターフェースが、前記ユーザーに前記１又は複数の不一致を通知する、請求項１３に記載のシステム。
【請求項１５】
前記ユーザーが前記１又は複数の最適姿勢位置のうちの前記少なくとも１つを維持できない場合、前記ユーザー装置が、前記ユーザーが前記不一致を修正するまで、実質的に機能停止状態である、請求項１４に記載のシステム。
【請求項１６】
前記センサー装置が、メモリユニットをさらに含み；
前記メモリユニットは、前記複数のセンサーデータを記憶する、請求項１５に記載のシステム。
【請求項１７】
前記１又は複数のセンサーが：１又は複数の加速度計及び１又は複数のジャイロスコープを含む、請求項１６に記載のシステム。
【請求項１８】
前記１又は複数の加速度計が、３つの三軸加速度計を含み、及び前記１又は複数のジャイロスコープが、３つの三軸レートジャイロスコープを含む、請求項１７に記載のシステム。
【請求項１９】
姿勢及び深呼吸を改善するためのシステムであって：
センサー装置；
１又は複数のユーザー装置上で作動するように構成される姿勢及び呼吸改善ソフトウェアプログラム；
を含み、
前記姿勢及び呼吸改善ソフトウェアプログラムは、呼吸動的グラフィカルユーザーインターフェース及び姿勢改善システムインターフェースを含み；
前記呼吸動的グラフィカルユーザーインターフェースは、前記１又は複数のユーザー装置上に表示され；
前記呼吸動的グラフィカルユーザーインターフェースは、最適呼気吸気グラフィック及び実際の動く動的呼吸グラフィックを含み；
前記実際の動く動的呼吸グラフィックは、ユーザーが横隔膜呼吸をモニタリングすることができるように、拡大及び縮小し；
前記姿勢改善システムインターフェースは、前記１又は複数のユーザー装置上で前記ユーザーに表示され；
前記センサー装置は：１又は複数のセンサー；無線通信装置；及び筐体を含み；
前記筐体は、銅コイルを含み；
前記銅コイルは、前記センサー装置の無線充電を可能とし；
前記銅コイルは、前記センサー装置から発生する電磁放射線から前記ユーザーを保護するように構成され；
前記銅コイルは、無線通信を前記ユーザーから離れるように指向し；
前記センサー装置は、ユーザーの近傍に配置されるように構成され；
前記無線通信装置は、前記センサー装置が前記姿勢及び呼吸改善ソフトウェアプログラムと通信状態となるように、前記１又は複数のユーザー装置と通信するように構成され；
前記１又は複数のセンサーは、前記ユーザーによる１又は複数の動きを検出及び測定して、複数のセンサーデータを作成し；
前記無線通信装置は、前記複数のセンサーデータを前記１又は複数のユーザー装置に送信し；
前記複数のセンサーデータの前記検出、測定、及び送信により、前記１又は複数のユーザー装置は、前記ユーザーが自身の横隔膜呼吸をモニタリングできるようにし；
前記姿勢改善ソフトウェアプログラムは、前記ユーザーに関する情報を収集するように構成され；
前記姿勢及び呼吸改善ソフトウェアプログラムは、前記センサー装置によって通信されたデータ及び前記ユーザーに関する前記収集された情報に基づいて、前記ユーザーに対する１又は複数の最適姿勢位置を算出し；
前記姿勢及び呼吸改善ソフトウェアプログラムは、前記１又は複数の最適姿勢位置のうちの少なくとも１つと前記ユーザーとの一致をモニタリングし；
前記姿勢改善システムインターフェースは、前記一致を表示するように構成され；並びに
前記姿勢及び呼吸改善ソフトウェアプログラムは、１又は複数の不一致を検出して、前記ユーザーに通知し、それによって、ユーザーは、前記１又は複数の最適姿勢位置のうちの前記少なくとも１つを維持するように注意喚起される、
システム。
【請求項２０】
前記筐体が、凹型の傾斜部を含む、請求項１９に記載のシステム。 
【発明の詳細な説明】
【技術分野】
【０００１】
関連出願の相互参照
本出願は、「ＰＯＳＴＵＲＥ  ＩＭＰＲＯＶＥＭＥＮＴ  ＤＥＶＩＣＥ」と題する２０１４年１０月２１日に出願された米国仮特許出願第６２／０６６，８００号の利益を主張するものである「ＰＯＳＴＵＲＥ  ＩＭＰＲＯＶＥＭＥＮＴ  ＤＥＶＩＣＥ，ＳＹＳＴＥＭ，ＡＮＤ  ＭＥＴＨＯＤ」と題する２０１５年１０月２０日に出願された米国非仮特許出願第１４／９１８，３３４号の分割出願である「ＰＯＳＴＵＲＥ  ＩＭＰＲＯＶＥＭＥＮＴ  ＤＥＶＩＣＥ，ＳＹＳＴＥＭ，ＡＮＤ  ＭＥＴＨＯＤ」と題する２０１７年８月１４日に出願された米国非仮特許出願第１５／６７６，１３７号の一部継続出願であり、これらすべての内容は、その全体が示されているかのごとく参照により本明細書に援用され、その優先権及び利益が主張される。
【０００２】
使用分野
本開示は、姿勢及び深呼吸を改善するためのシステム全般に関し、より詳細には、ユーザーを、自身の姿勢のリアルタイム画像モニタリング、警告、エクササイズ及びストレッチプログラムを行うための注意喚起、並びに行動修正を通して改善された姿勢及び深呼吸を習慣的に実践するように条件付けるシステムに関する。
【背景技術】
【０００３】
良い姿勢と良好な健康状態との間には強い相関が存在する。毎年多くの生産時間が、姿勢に起因する健康上の問題に伴う疼痛及び疾患によって失われている。改善された姿勢は、脳によって産生されるドーパミン及びテストステロンのレベルを高めることが示されており、研究から、ＡＤＨＤの患者の姿勢による後弯症を矯正することが、ＡＤＨＤの症状の著しい低減に繋がり得ることが示されている。研究から、人が良い姿勢で働く場合、精神的鋭敏さ、自尊心、及び生理学的効率に関する遂行能力が改善されることが示されている。したがって、姿勢を改善するための見識及びメカニズムを提供することは、それが精神的遂行能力及び全体としての健康状態を改善することから、多くの人にとっての望ましい目標である。
【０００４】
呼吸も、姿勢と同様に、健康にとって重要である。人の呼吸の仕方は、その身体全体に影響を与え得る。呼吸は、心拍及び血圧などの重要な身体機能を調節する手助けをし、さらには、動く際に身体に掛かるストレス及び歪みを低減する適切なボディメカニクスも補強する。深呼吸は、より良好な健康状態と関連している。多くの人が忙し過ぎ、及び座り過ぎであり、このことによって、多くの人が速く浅い呼吸ばかりを行うように条件付けられている。これが、時間の経過と共に呼吸筋を弱め、上体に緊張を発生させ得る。このことは、人の姿勢を変化させて、その人の健康状態を徐々に衰えさせ得る。定期的な身体活動及び呼吸筋訓練のセッションにより、浅い呼吸に起因する問題を後退させることができる。
【０００５】
人は、肺を取り囲む呼吸筋の能動的な収縮によって空気を吸ったり吐いたりしている。吸息時には、横隔膜が収縮し、胸腔に肺が膨らむための空間が作り出される。肋骨の間に位置する肋間筋は、胸郭を持ち上げて肺により多くの空気を取り込むことができるように横隔膜を補助する。呼吸が低下した状態となった場合は、頸部及び上胸部周囲のさらなる筋肉が、肋間筋を補助する。胸鎖乳突筋、前鋸筋、小胸筋、及び斜角筋を含むこれらのさらなる筋肉は、胸部の動きの速度及び量を増加させるように働く。
【０００６】
胸部からの呼吸は、横隔膜に依存するのではなく、主として、頸部及び鎖骨の周囲のさらなる筋肉に依存している。胸呼吸が悪い姿勢を伴う場合、上体の多くの筋肉が適切に機能するその能力を失う。人は、一日の間に長く座っているほど、重力と戦い、強く安定した体幹を維持する身体の能力が低下する。胸部周囲の硬くなった副筋、特に、小胸筋及び斜角筋は、肩を丸めた状態及び不適切な頭の姿勢を引き起こし得る。これは、適切な直立姿勢を維持するのに必要である広背筋、中部僧帽筋、及び菱形筋、並びに腰方形筋の正常な使用を阻害することによって背筋を弱め得る。
【０００７】
深呼吸には、落ち着きをもたらす、ストレス及び不安を低減する、並びに血圧を低下させるなどの多くの有益性がある。深呼吸は、多くの瞑想及びマインドフルネスの手法における基礎である。したがって、深呼吸は、健康な精神及び身体にとって非常に重要である。
【０００８】
ウェアラブル装置は、装着者に深呼吸をするように注意喚起することができるが、本開示の装置以前のこれらの装置はいずれも、ゲーミフィケーションの方法でユーザーの実際の呼吸を最適な呼吸パターンと比較する動的表示を提供していない。加えて、本開示の装置以前の呼吸装置は、姿勢装置と組み合わされておらず、姿勢装置は、誘導充電、並びに電波からの保護及び電波の指向を提供する銅コイルを有する。
【発明の概要】
【発明が解決しようとする課題】
【０００９】
したがって、姿勢を改善することができ、ゲーミフィケーションの方法でユーザーの実際の呼吸を最適な呼吸パターンと比較する動的表示を提供する装置、システム、及び方法が求められている。加えて、誘導充電、並びに電波からの保護及び電波の指向を提供する銅コイルを有する姿勢及び／又は呼吸改善装置が必要とされている。
【課題を解決するための手段】
【００１０】
先行技術の制限を最小限とするために、及び本開示を読み、理解することで明らかとなる他の制限を最小限とするために、本明細書は、姿勢及び深呼吸を改善するための新規で改善された装置、システム、及び方法を開示する。
【００１１】
１つの実施形態は、センサー装置、１又は複数のユーザー装置上で作動するように構成されていてよい姿勢及び呼吸改善ソフトウェアプログラムを含む姿勢及び深呼吸を改善するためのシステムであってよく、姿勢及び呼吸改善ソフトウェアプログラムは、呼吸動的グラフィカルユーザーインターフェースを含んでよく、呼吸動的グラフィカルユーザーインターフェースは、１又は複数のユーザー装置上に表示されてよく、呼吸動的グラフィカルユーザーインターフェースは、最適呼気吸気グラフィック及び実際の動く動的呼吸グラフィックを含んでよく、実際の動く動的呼吸グラフィックは、ユーザーが視覚的に横隔膜呼吸をモニタリングすることができ得るように、拡大及び縮小し、センサー装置は、１又は複数のセンサー、無線通信装置、及び筐体を含み、センサー装置は、ユーザーの近傍に配置されるように構成されてよく、無線通信装置は、センサー装置が姿勢及び呼吸改善ソフトウェアプログラムと通信状態となり得るように、１又は複数のユーザー装置と通信するように構成されてよく、１又は複数のセンサーは、ユーザーによる１又は複数の動きを検出及び測定して、複数のセンサーデータを作成してよく、無線通信装置は、複数のセンサーデータを１又は複数のユーザー装置に送信してよく、並びに、複数のセンサーデータの検出、測定、及び送信により、１又は複数のユーザー装置は、ユーザーが自身の横隔膜呼吸をモニタリングできるようにしてよい。実際の動く動的呼吸グラフィック及び最適呼気吸気グラフィックは、それぞれ、広がるドット及び円形であってよい。最適呼気吸気グラフィックは、実際の動く動的呼吸グラフィックの拡大目標であってよい。最適呼気吸気グラフィックは、実際の動く動的呼吸グラフィックの動く拡大目標であってよい。最適呼気吸気グラフィックは、広がる動く動的円形であってよく、ユーザーが実際の動く動的呼吸グラフィックを介して一致させて従うように試みる目標であってよい。複数のセンサーデータの検出、測定、及び送信により、１又は複数のユーザー装置は、ユーザーが自身の横隔膜呼吸をモニタリングできるようにする。筐体は、銅コイルを含んでよく、銅コイルは、センサー装置の無線充電を可能とするように構成されていてよい。銅コイルは、ａ）センサー装置から発生する電磁放射線からユーザーを保護し、及びｂ）無線通信をユーザーから離れるように指向するよう構成されていてよい。筐体は、凹型の傾斜部を含んでいてよい。姿勢及び呼吸改善ソフトウェアプログラムは、さらに、姿勢改善システムインターフェースを含んでよく、姿勢改善システムインターフェースは、１又は複数のユーザー装置上でユーザーに表示されてよく、姿勢改善ソフトウェアプログラムは、ユーザーに関する情報を収集するように構成されていてよく、姿勢及び呼吸改善ソフトウェアプログラムは、センサー装置によって通信されたデータ及びユーザーに関する収集された情報に基づいて、ユーザーに対する１又は複数の最適姿勢位置を算出する。姿勢及び呼吸改善ソフトウェアプログラムは、１又は複数の最適姿勢位置のうちの少なくとも１つとユーザーとの一致をモニタリングしてよく、姿勢改善システムインターフェースは、一致を表示するように構成されていてよく、並びに、姿勢及び呼吸改善ソフトウェアプログラムは、１又は複数の不一致を検出して、ユーザーに通知し、それによって、ユーザーは、１又は複数の最適姿勢位置のうちの少なくとも１つを維持するように注意喚起されてよい。１又は複数の最適姿勢位置のうちの少なくとも１つとユーザーとの一致の表示は、ピクトグラフ標的及び標的ボールを介して表されてよい。姿勢標的ボールは、ユーザーが１又は複数の最適姿勢位置のうちの少なくとも１つと一致した状態であり得る場合、実質的に標的の中心内にあってよい。ユーザーが１又は複数の最適姿勢位置のうちの少なくとも１つを維持できない場合、姿勢標的ボールは、実質的に標的の中心内になくてよく、姿勢改善システムインターフェースは、ユーザーに１又は複数の不一致を知らせてよい。ユーザーが１又は複数の最適姿勢位置のうちの少なくとも１つを維持できない場合、ユーザー装置は、ユーザーが不一致を修正するまで、実質的に機能停止状態であってよい。システムは、メモリユニットをさらに含んでいてもよく、メモリユニットは、複数のセンサーデータを記憶する。１又は複数のセンサーは、１又は複数の加速度計及び１又は複数のジャイロスコープを含んでよい。１又は複数の加速度計は、３つの三軸加速度計を含んでよく、及び１又は複数のジャイロスコープは、３つの三軸レートジャイロスコープを含んでよい。
【００１２】
別の実施形態は、センサー装置、１又は複数のユーザー装置上で作動するように構成されていてよい姿勢及び呼吸改善ソフトウェアプログラムを含む姿勢及び深呼吸を改善するためのシステムであってよく、姿勢及び呼吸改善ソフトウェアプログラムは、呼吸動的グラフィカルユーザーインターフェース及び姿勢改善システムインターフェースを含んでよく、呼吸動的グラフィカルユーザーインターフェースは、１又は複数のユーザー装置上に表示されてよく、呼吸動的グラフィカルユーザーインターフェースは、最適呼気吸気グラフィック及び実際の動く動的呼吸グラフィックを含んでよく、実際の動く動的呼吸グラフィックは、ユーザーが視覚的に横隔膜呼吸をモニタリングすることができ得るように、拡大及び縮小してよく、姿勢改善システムインターフェースは、１又は複数のユーザー装置上でユーザーに表示されてよく、センサー装置は、１又は複数のセンサー、無線通信装置、及び筐体を含んでよく、筐体は、銅コイルを含んでよく、銅コイルは、センサー装置の無線充電を可能とするように構成されていてよく、銅コイルは、センサー装置から発生する電磁放射線からユーザーを保護するように構成されていてよく、銅コイルは、無線通信をユーザーから離れるように指向してよく、センサー装置は、ユーザーの近傍に配置されるように構成されてよく、無線通信装置は、センサー装置が姿勢及び呼吸改善ソフトウェアプログラムと通信状態となり得るように、１又は複数のユーザー装置と通信するように構成されてよく、１又は複数のセンサーは、ユーザーによる１又は複数の動きを検出及び測定して、複数のセンサーデータを作成してよく、無線通信装置は、複数のセンサーデータを１又は複数のユーザー装置に送信してよく、複数のセンサーデータの検出、測定、及び送信により、１又は複数のユーザー装置は、ユーザーが自身の横隔膜呼吸をモニタリングできるようにしてよく、姿勢改善ソフトウェアプログラムは、ユーザーに関する情報を収集するように構成されていてよく、姿勢及び呼吸改善ソフトウェアプログラムは、センサー装置によって通信されたデータ及びユーザーに関する収集された情報に基づいて、ユーザーに対する１又は複数の最適姿勢位置を算出してよく、姿勢及び呼吸改善ソフトウェアプログラムは、１又は複数の最適姿勢位置のうちの少なくとも１つとユーザーとの一致をモニタリングしてよく、姿勢改善システムインターフェースは、一致を表示するように構成されていてよく、並びに、姿勢及び呼吸改善ソフトウェアプログラムは、１又は複数の不一致を検出して、ユーザーに通知してよく、それによって、ユーザーは、１又は複数の最適姿勢位置のうちの少なくとも１つを維持するように注意喚起されてよい。筐体は、凹型の傾斜部を含んでいてよい。
【００１３】
これらの、さらには他のコンポーネント、工程、特徴、目的、有益性、及び利点は、例示的実施形態の以下の詳細な記述、添付の図面、及び請求項のレビューから以降で明らかとなるであろう。
【００１４】
図面は、例示的実施形態を示すが、すべての実施形態を図示するものではない。他の実施形態が、例示的実施形態に加えて、又は例示的実施形態の代わりに用いられてもよい。明らかであり得る、又は不要であり得る詳細事項は、スペース節約のために、又はより効果的な例示のために、省略されている場合がある。ある実施形態は、追加のコンポーネント若しくは工程を含めて、及び／又は例示に提供されるコンポーネント若しくは工程の一部又はすべてを含まずに実践されてもよい。異なる図面が同じ符号を有する場合、その符号は、同じ若しくは類似のコンポーネント又は工程を意味する。
【図面の簡単な説明】
【００１５】
【図１】姿勢及び深呼吸を改善するためのセンサー装置の１つの実施形態の前面図である。
【図２】センサー装置の１つの実施形態の側面図である。
【図３】センサー装置の１つの実施形態の後面図である。
【図４Ａ】姿勢及び深呼吸改善システムインターフェースの１つの実施形態の図である。
【図４Ｂ】姿勢及び深呼吸改善システムインターフェースの１つの実施形態の図である。
【図４Ｃ】姿勢及び深呼吸改善システムインターフェースの１つの実施形態の図である。
【図５】動く深呼吸インターフェースの１つの実施形態の図である。
【図６Ａ】姿勢及び深呼吸改善システムインターフェースの１つの実施形態の図である。
【図６Ｂ】姿勢及び深呼吸改善システムインターフェースの１つの実施形態の図である。
【図６Ｃ】姿勢及び深呼吸改善システムインターフェースの１つの実施形態の図である。
【図７】姿勢及び深呼吸改善システムインターフェースの別の実施形態の図である。
【図８】姿勢及び深呼吸改善システムインターフェースの別の実施形態の図である。
【図９】姿勢及び深呼吸改善システムインターフェースの別の実施形態の図であり、設定画面を示す。
【図１０】姿勢及び深呼吸改善システムインターフェースの別の実施形態の図であり、ポーズ画面を示す。
【図１１】姿勢及び深呼吸改善システムインターフェースの別の実施形態の図であり、ダッシュボード画面を示す。
【図１２】姿勢及び深呼吸改善システムインターフェースの別の実施形態の図であり、ＨＵＤ画面を示す。
【図１３】姿勢及び深呼吸改善システムインターフェースの別の実施形態の図であり、Ｍｅ／Ｍｏ画面を示す。
【図１４】姿勢及び深呼吸改善システムインターフェースの別の実施形態の図であり、ダッシュボード設定画面を示す。
【図１５】センサー装置のためのホルダー及びハーネスの１つの実施形態の図である。
【図１６】センサー装置のためのホルダーの１つの実施形態の図である。
【図１７】ポーザブルハーネス（poseable harness）の１つの実施形態の図である。
【図１８】格納式ヘッドホンを示すポーザブルハーネスの１つの実施形態の図である。
【発明を実施するための形態】
【００１６】
以下の詳細な記述において、１又は複数の実施形態の様々な態様の完全な理解を提供するために、数多くの具体的詳細事項が示される。しかし、１又は複数の実施形態は、これらの具体的詳細事項の一部又はすべてを含まずに実践されてもよい。他の例では、公知の手順及び／又はコンポーネントは、実施形態の態様を不必要に不明瞭とすることのないように、詳細に記載されていない。
【００１７】
いくつかの実施形態が本明細書で開示されるが、さらに他の実施形態は、当業者であれば、以下の詳細な記述を受けて明らかとなるであろう。これらの実施形態は、すべて保護の趣旨及び範囲から逸脱することなく、様々な明らかな態様の変更が可能である。図、及びその詳細な記述は、限定的ではなく、例示的性質として見なされるべきである。また、特定の実施形態に言及すること、又は言及しないことが、保護の範囲を限定するものとして解釈されてはならない。
【００１８】
定義
以下の記述において、特定の専門用語が、１又は複数の実施形態の特定の特徴を記載するために用いられる。例えば、本明細書で用いられる場合、「コンピュータ」、「コンピュータ装置」、又は「コンピュータシステム」の用語は、集積回路チップを用いてデータ若しくは情報を処理するいかなる装置又は機械をも意味し、限定されないが、パーソナルコンピュータ、メインフレームコンピュータ、ワークステーション、試験機器、サーバー、デスクトップコンピュータ、ポータブルコンピュータ、ラップトップコンピュータ、組込み型コンピュータ、携帯電話、携帯情報端末、タブレット、タブレットコンピュータ、スマートフォン、携帯ゲーム機、及びハンドヘルドコンピュータを含むワイヤレス装置が挙げられる。コンピュータ装置はまた、スマートフォン、タブレット、ウェアラブル端末などのモバイルコンピュータ装置も含んでよい。
【００１９】
本明細書で用いられる場合、「インターネット」の用語は、一般的に、イーサネット（登録商標）、トークンリング、Ｗｉ−Ｆｉ、非同期転送モード（ＡＴＭ）、光ファイバー分散データインターフェース（ＦＤＤＩ）、符号分割多重アクセス方式（ＣＤＭＡ）、汎欧州デジタル移動電話方式（ＧＳＭ（登録商標））、ロングタームエボリューション（ＬＴＥ）、又はこれらのいずれかの組み合わせであれ、標準プロトコルを用いたネットワークのいずれの集まりをも意味する。「ウェブサイト」の用語は、ハイパーテキストマークアップ言語（ＨＴＭＬ）若しくはバーチャルリアリティーモデリング言語（ＶＲＭＬ）、ダイナミックＨＴＭＬ、拡張マークアップ言語（ＸＭＬ）、ワイヤレスマークアップ言語（ＷＭＬ）、又はこれらに関連する他のいずれかのコンピュータ言語を含むが限定されないマークアップ言語で作成されたいずれのドキュメントをも、さらには１つの特定のインターネットプロトコルアドレスを通して到達可能である若しくは１つの特定のワールドワイドウェブサイトでのそのようなドキュメントのいずれの集まりをも、又はいずれかの特定のユニフォームリソースロケータ（ＵＲＬ）を通して入手可能であるいずれのドキュメントをも意味する。
【００２０】
「アプリケーション」、「ソフトウェア」、「ソフトウェアアプリケーション」、又は「姿勢改善ソフトウェアプログラム」の用語は、一般的に、クライアントマシン、ウェブインターフェース、及び／又はコンピュータシステム上での、コンピュータのプロセッサに本明細書で開示される特定の工程、プロセス、又はオペレーションを実行するよう命令するいずれの機械可読命令一式をも意味する。「アプリケーション」、「ソフトウェア」、「ソフトウェアアプリケーション」、及び「姿勢改善ソフトウェアプログラム」は、１又は複数の最適姿勢位置とユーザーとの一致をモニタリングするためのコンピュータ装置又はコンピュータシステムのオペレーションを命令する１又は複数のモジュールを含んでいてよい。本明細書の目的のために、モジュールは、カスタムＶＬＳＩ回路若しくはゲートアレイ、ロジックチップ、トランジスタなどの既製の半導体、又は他の個別のコンポーネントを含むハードウェア回路として実装されてよい。モジュールはまた、フィールドプログラマブルアレイ、プログラマブルアレイロジック、プログラマブルロジックデバイスなどのプログラマブルハードウェアデバイスに実装されてもよい。モジュールはまた、様々な種類のプロセッサによって実行されるために、ソフトウェア中に実装されてもよい。実行可能なコードの識別されたモジュールは、例えば、オブジェクトプロシージャ又はファンクションとして例えば編成されていてもよいコンピュータ命令の１又は複数の物理的又論理的ブロックを含んでいてよい。しかしながら、識別されたモジュールの実行可能ファイルは、物理的に一緒に配置される必要はなく、様々な場所に記憶された異なる命令を含んでいてもよく、それらは論理的に互いに結合されると、モジュールを成してそのモジュールの決められた目的を達成してよい。
【００２１】
本明細書で用いられる場合、「実質的に」の用語は、作用、特徴、特性、状態、構造、要素、又は結果の完全な若しくはほぼ完全な程度又は度合いを意味する。例えば、１つの実施形態では、「実質的に」筐体内に位置する物体とは、その物体が、完全に筐体内にあるか、又はほぼ完全に筐体内にあることを意味する。場合によっては、絶対的完全性からの逸脱の正確な許容される度合いは、特定の文脈に依存し得る。しかし、一般的に述べると、ほぼ完全であることは、絶対的で全体的な完全性が得られた場合と同じ全体としての結果を有するようになる。「実質的に」の使用はまた、作用、特徴、特性、状態、構造、要素、又は結果の完全な又はほぼ完全な欠如を意味する否定の暗示的意味で用いられる場合にも、同等に適用可能である。
【００２２】
本明細書で用いられる場合、「およそ」及び「約」の用語は、一般的に、示されている数又は数の範囲からの５％以内のズレを意味する。１つの実施形態では、「およそ」及び「約」の用語は、示されている数又は数の範囲からの０．０００１〜１０％のズレを意味する。
【００２３】
本明細書で用いられる「前部」、「後部」、「上部」、「底部」、「側部」、「短い」、「長い」、「上方」、「下方」及び「下」などの用語は、単に記述を容易にするためのものであり、図に示されているコンポーネントの方向を意味するものと理解される。本明細書で述べるコンポーネントのいずれの方向も、本開示の範囲内であることは理解されたい。
【００２４】
図１は、姿勢及び深呼吸を改善するためのセンサー装置の１つの実施形態の前面図である。図１に示されるように、姿勢を改善するためのセンサー装置１００の１つの実施形態は、装置がユーザーの身体に装着又は接続されるよう構成され得るように、ウェアラブル又はそれ以外でユーザー上に配置可能である装置であってよい。装置１００は、筐体１１６、１又は複数のセンサー１０６、１１７、１１８、マイクロホン１１９、ＬＥＤライト１１１、スピーカー１１２、電源１２０、無線接続装置１２５、及びメモリユニット１２８を含み得る。
【００２５】
センサー１０６、１１７、１１８は、１又は複数の軸系の加速度計及び１又は複数の軸系のジャイロスコープを含み得る。軸系の加速度計は、ユーザーのよりゆっくりした動きを測定するように構成された主センサーであってよい。軸系のジャイロスコープは、ユーザーの位置の速い又は誇張された変化を測定するように構成されたセンサーであってよい。加えて、他の実施形態では、センサー１０６、１１７、１１８は、さらに、歩数計、磁力計（magnometer）、温度計、呼吸数計、心拍数計、血圧計、光レベル計、及び／又はグローバルポジショニングシステムを含んでいてよい。１つの実施形態では、加速度計及びジャイロスコープは、システムにユーザーが歩いていること、及び歩いた距離を知らせ得る歩数計として機能するように構成されていてよい。
【００２６】
磁力計は、ユーザーの方向を検出するように構成されていてよく、温度計は、周囲温度及びユーザーの体温の両方を特定するように構成されていてよく、グローバルポジショニングシステムは、ユーザーの物理的位置を特定するように構成されていてよい。複数の種類のセンサーが用いられる場合、これらのセンサーによって収集された情報は、ユーザーの体重、身長、圧力、方向、心拍数、血圧、及び呼吸数などのユーザーの複数の特徴を特定する補助となり得る。センサー１０６、１１７、１１８は、呼吸、深呼吸、前方、後方、及び／又は側方への傾き、ひねり、回転、屈み、頭の位置、並びに身体のアライメントを含むユーザーによるいずれの動きをもシステムが検出することを可能とし得る。
【００２７】
好ましい実施形態では、装置１００は、３つの三軸加速度計及び３つの三軸ジャイロスコープを有していてよい。好ましくは、６つのセンサーすべてが、システムの較正、ユーザーの最適姿勢位置（ＯＰＰ）の設定、及びユーザーとＯＰＰとの合致のモニタリングに用いられてよい。
【００２８】
好ましくは、装置１００は、センサー１０６、１１７、１１８によって生成されたデータを効率的で使いやすい方法でユーザーに表示するために、ユーザー装置と称される場合もある電子データ処理ユニットと通信し、インターフェース接続する。
【００２９】
１つの実施形態では、装置１００は、Ｂｌｕｅｔｏｏｔｈ（登録商標）などの低電力ポイントツーポイント通信プロトコルを介してユーザー装置と通信してよい。他の実施形態では、装置はまた、ＷｉＦｉ（登録商標）、ＷｉＭａｘ（登録商標）、ｉＢｅａｃｏｎ（登録商標）、近距離無線通信（ＮＦＣ）プロトコル、及びＭｉｒａｃａｓｔ（登録商標）などの他の様々なプロトコル及び技術を介して通信してもよい。他の実施形態では、装置１００は、ユーザー装置と有線で接続してもよい。無線接続装置１２５は、別の電子装置といずれかの方法の無線通信を行う送信器、受信器、及び  又はトランシーバーであってよい。
【００３０】
電源１２０は、電池であってよい。しかし、様々な実施形態では、電源１２０はまた、センサー装置１００に電気的に連結された交流などの追加の電源を含んでもよい。
【００３１】
メモリユニット１２８は、装置１００がユーザー装置と接続されていない場合に、データを取得又は記憶するのに用いられ得る。この方法により、ユーザーが自身のＯＰＰを維持することができていたかどうかを含むデータが、後で送信されて、ユーザーに表示され得る。センサー装置又はユーザー装置は、各々が、メモリ及び処理データを収容し得る。
【００３２】
センサー１０６、１１７、１１８に加えて、装置は、スピーカー１１２も有していてよく、それは、ユーザーがＯＰＰから外れている状態が長く続き過ぎた場合に可聴アラームを鳴らしてよく、又はユーザーにその他の警告音及び伝達のためのチヤープ音を発するためである。マイクロホン１１９は、ユーザーが適切な呼吸を行っているかどうかを判定するために、又は音声命令を採用するために例えば用いられ得る別のセンサーとして作用し得る。ＬＥＤが好ましいが、ＬＣＤ又は照明の他の形態であってもよいライト１１１は、ユーザーに視覚的な警告又は電源の状態（充電中、充電が必要、オン、オフなど）を提供し得る。
【００３３】
図１は、装置１００が円形又はディスク形状であってよいことを示しているが、装置１００は、いかなる形状であってもよい。
【００３４】
図２は、センサー装置の１つの実施形態の側面図である。図３は、センサー装置の１つの実施形態の後面図である。図２及び３に示されるように、装置１００は、又はより詳細には、装置１００の筐体は、凹型の傾斜部１９９、接続溝部１９８、銅コイル１９７、及び平坦端部２０１を有し得る。銅コイル１９７により、ユーザーは、非接触誘導又は間接伝導によって電源を充電可能となり得る。この方法により、装置１００は、充電コードを取り付けるためのプラグ又はソケットを装備する必要がなくなり得る。装置１００は、充電用受け台上に置かれてよく、銅コイル１９７により、デバイス１００は電源１２０を充電することが可能となる。ユーザーの身体に面するように設計されていてよい銅コイル１９７はまた、電磁放射線が装置１００から装着者へ到達することを防止するシールドとしても作用し得る。最後に、銅コイル１９７はまた、無線信号をユーザーから離れるように、及び装置１００の前面から出るように指向してもよく、それによって、装置といずれかの対になった又は同期したユーザー装置との間の無線接続が改善され得る。平坦端部２０１は、凹型の傾斜部１９９の端部にあってよい。平坦端部２０１は、ユーザーの身体に寄り掛かるように構成されていてよい。ユーザーの動きは、傾斜の側１９９の方向へ装置１００を転動させてよく、このことにより、装置は、僅かな動きであっても、動きに対して非常に高感度となり得る。この感度は、ユーザーが適切なバランスを維持している時点、及びユーザーが正しく呼吸を行っているかどうかを判定するのに有益であり得る。
【００３５】
図４Ａ〜４Ｃは、深呼吸及び姿勢改善システムインターフェースの１つの実施形態の図である。図４Ａに示されるように、呼吸及び姿勢改善システムインターフェース４００の１つの実施形態は、ユーザー装置のディスプレイ画面上に表示されてよい。この方法により、ユーザーは、姿勢及び深呼吸改善装置１００からのリアルタイムでの警告及び更新を受け得る。図４Ａ及び４Ｂは、スマートフォン、ラップトップコンピュータ、又はコンピュータの一部分であり得るＬＥＤディスプレイ画面又はモニターとしてユーザー装置１００を示しているが、ユーザー装置は、スマートウォッチ、キーボード、マウス、アイウェア、タブレット、椅子、モニター、スマートテレビ、又はユーザーが使用するか若しくは装着する他の何らかの装置などのコンピュータ装置であってもよい。
【００３６】
図４Ａは、姿勢及び／又は呼吸改善システムが、姿勢改善システムインターフェース４２０を操作し、表示するユーザー装置４００を含んでよいことを示している。システムインターフェース４２０は、ＯＰＰレイアウト４２５を含んでよく、それは、示されるように、人のピクトグラフの上面図の輪郭であってよい。他のＯＰＰレイアウトは、的の中心、標的、同心円、又はユーザーが最適なグラフィック形状に維持しようとする背骨などの適切であり得る異なるピクトグラフであってよい。システムインターフェース４２０はまた、姿勢標的ボール４３０を含んでもよく、ここではボールとして示されるが、いかなる形状であってもよい。本開示の目的のために、ピクトグラフ、的の中心、及び標的の用語は、同じものを意味し得る。様々な実施形態では、姿勢改善システムは、ユーザーが自身のＯＰＰを維持しているかどうかを判定するために装置１００と無線でインターフェース接続する、ユーザー装置４００上で作動するソフトウェアアプリケーションであってよい。システムインターフェース４２０は、ユーザー装置４００のディスプレイ画面のバックグラウンド又はフォアグラウンドに表示されてよい。フォアグラウンドにある場合、システムインターフェース４２０は、別のプログラムと重なっていてよい。システムインターフェース４２０は、人ピクトグラフ標的４２５及び姿勢標的ボール４３０として示されているが、ユーザーに自身のＯＰＰの維持に関する情報が提供される限りにおいて、他の形状又はグラフィックが用いられてもよいことは理解されるべきである。図４Ｂは、ピクトグラフ標的４２５の端部に姿勢ボール４３０があることを示しており、ユーザーがＯＰＰを維持できていないことを意味する。システムインターフェース４２０は、時間４０３、及び好ましくは装置１００から収集されたユーザーの心拍数４０２を表示し得る。
【００３７】
図４Ａはまた、システムインターフェース４２０が、ダッシュボード６０５、設定６１０、ポーズ６２０、及び較正６３０を含むメニューを含み得ることも示す。ユーザーが４３０、６０５、６１０、６２０、６３０をクリックすると、それらは拡大して、ユーザーがシステムインターフェース４２０と対話することを可能とし得る。ボール４３０をクリックすると、ヘッドアップディスプレイ（ＨＵＤ）が呼び出される。
【００３８】
システムの１つの実施形態は、ユーザーが定期的に活動休憩を取るように要求してよい。１つの実施形態では、ユーザーは、様々な方向へストレッチを行うように要求される。システムインターフェースの標的は、十字線が重ねられてもよい。システムは、続いて、ユーザーが姿勢標的ボールを十字線内に動かすように要求してよい。これは、ユーザーを右、後ろ、左、及び前へストレッチさせることによって実施されてよく、それによって、同時に、姿勢標的ボールが十字線内の正しい方向へ移動する。休憩を取ることのこのゲーミフィケーションは、活動休憩を取ることの要求にユーザーが実際に従うように促し得る。定期的な活動の注意喚起は、いかなる期間に対して設定されてもよく、限定されないが、１０分間に１回、２０分間に１回、３０分間に１回、１時間に１回などが挙げられる。他の実施形態では、ユーザーは、ボールを追跡して標的とするエクササイズ位置又はストレッチ位置に達するよう要求され得る。
【００３９】
図４Ｃは、ユーザーが較正ボタン６３０をクリックするか、又はそれ以外で較正ボタン６３０を選択した場合の、較正画面の１つの実施形態の図である。較正の最初の部分は、ユーザーに意識的な呼吸をさせることであり得る。
【００４０】
図５は、姿勢改善システムインターフェースの別の実施形態の図であり、ポップアップインターフェースウィンドウを示す。図５に示されるように、システムインターフェース４８０の１つの実施形態は、ＯＰＰレイアウト４８１、姿勢標的ボール４８２、手順画面４８３、警告設定画面４８５、装置画面４８３、及びＯＰＰ設定画面４８７を含み得る。
【００４１】
１つの実施形態では、手順画面４８３は、システムインターフェース４８０の右側に配置されてよく、姿勢システムを較正し、使用するための手順が提供され得る。手順は、テキスト、ビデオ、グラフィック、フローチャート、及び／又は画像を含むいかなる形態で提供されてもよい。手順画面４８３又はソフトウェアプログラムの一部である別の画面によって、ユーザーは、姿勢システムを設定し及び／又は較正することが可能となり得る。好ましくは、設定及び較正は、ユーザーにそのプロセスを段階を追って行わせるディシジョンツリー又はウィザードを通して完了され得る。１つの実施形態では、システムは、ユーザー自身の身長及び体重などの基本情報を入力するようにユーザーにプロンプトを表示し得る。ユーザーはまた、ユーザーが経験している可能性のある何らかの疼痛に関する情報も入力し得る。ユーザーからの情報を受けると、ソフトウェアプログラムは、適切な位置に装置を配置するようユーザーにプロンプトを表示し得る。さらなる実施形態では、ソフトウェアプログラムは、ユーザーを装置のための適切な位置にさらに誘導するために、テキスト、画像、又はビデオによる手順４８３をユーザーに提供し得る。
【００４２】
警告設定画面４８５により、ユーザーは、ユーザーがＯＰＰにない場合にユーザーに通知するためにシステムインターフェース４８０が用いる警告を設定、変更可能となり得る。例えば、１つの実施形態では、ユーザーは、警告を設定するための適切な装置をまず選択してよい。装置の表示は、装置画面４８６と関連していてよい。図５に示されるように、電話などの装置が選択されると、ユーザーは次に、ミスアライメントについて、又はユーザーが自身のＯＰＰにない場合に、電話がユーザーに警告する方法を選択してよい。様々な実施形態では、ユーザーは、音声通知、色の変化、ライトのフラッシュ若しくは明るさの変化、振動、電流若しくはショック、他の種類の感覚での警告、又は装置の機能の変化を介して通知又は警告を受けるように選択してよい。好ましくは、ユーザーは、装置画面にロードされた各装置に対して警告の設定を行う。すべての警告が調節可能であってよい。例えば、音声警告の音量も調節可能であってよく、ライトのフラッシュの明るさも調節可能であってよい。追加の色が選択されてもよい。振動の強度も調節可能であってよい。
【００４３】
装置画面４８６は、センサー装置と通信することになるユーザー装置をユーザーが選択することを可能とし得る。ユーザー装置としては、限定されないが、スマートフォン、ラップトップコンピュータ、スマートウォッチ、キーボード、マウス、タブレット、椅子、モニター、アイウェア、スマートテレビ、又はユーザーが使用するか若しくは装着する他の何らかの装置が挙げられ得る。ある実施形態では、リアルタイムユーザー装置はなく、警告は、センサー装置から直接提供される。この方法では、センサー装置は、音声、光、接触（突くこと）、振動、及び／又はクリックを介してユーザーに直接警告してよい。センサー装置は、そのような警告を提供し得る一体化された追加の装置を含んでよく、又はセンサー装置の既存部分のうちの１つが警告を提供してもよい。
【００４４】
ＯＰＰ設定画面４８７により、ユーザーは、１又は複数の位置を選択してＯＰＰと関連付けることが可能となり得る。位置は、様々な座った位置、立った位置、及び活動位置であり、限定されないが、メディアの閲覧（限定されないが、電話、タブレット、テレビ、及びバーチャルリアリティー画像を含む）、スポーツ／活動（限定されないが、ウォーキング、ランニング、サイクリング、ゴルフ、野球、バスケットボール、ヨガ、スノーボード、スキー、及びフットボールを含む）、運転、作業、限定されないが、電話、コンピュータ、及びスタンディングデスクを含む）、病院ベッド／ベッドに寝たままの状態、旅行（飛行機での旅行）、インタラクティブゲーム（コンピュータゲーム及びボードゲーム）、プレゼンテーション、個人的信頼(personal confidence)、職業上の反復する動き、特定の職業上必要なこと、が挙げられる。ＯＰＰ設定がシステムに入力されると、ユーザーは、次に、センサー装置を身に着け、およそ正しい位置を取ることによって各ＯＰＰを較正してよい。
【００４５】
姿勢改善システムが較正され、設定されると、ユーザーは、使用中にＯＰＰを確実に維持するためにシステムを用い得る。これは、センサー装置を起動させて身に着けることによって行われる。ユーザーはまた、ユーザー装置を選択してその装置上でシステムインターフェース４８０を開く必要がある。次に、システムインターフェース４８０は、ユーザーに、自身のＯＰＰが維持されているかどうかを知らせ得る。
【００４６】
１つの実施形態では、システムインターフェース４８０は、立ち上がる及び／又はストレッチするなど、定期的に活動休憩を取るように警告し得る。システムインターフェース４８０はまた、ユーザーの疼痛及びユーザーと自身のＯＰＰとの一致に関する情報に基づいて、活動休憩時にユーザーが取り組む特定の活動の提案もし得る。
【００４７】
好ましくは、ユーザーは、ＯＰＰを別のＯＰＰに切り替え得る。この切り替えは、ユーザーによってマニュアル入力され、それによって、システムに変更が知らされてよい。切り替えはまた、自動であってもよく、その場合、装置は、ユーザーが位置を切り替え、感覚的により正しく適切なＯＰＰに変更することを判断する。この自動切り替えでは、好ましくは、ユーザーがこの自動切り替えに従うか又は拒否することができる。自動切り替えに関して、１つの実施形態では、システムは、センサー装置、及び複数のユーザー装置にインストールされた、ＯＰＰの通知システム及びＯＰＰ表示を有する姿勢改善ソフトウェアプログラムを含む。この実施形態では、適切なユーザー装置上でのみユーザーに通知されるように、複数のユーザー装置のスマートでシームレスなネットワーク認識システムの必要性が強調される。この実施形態における「適切なユーザー装置」の記述について、他のユーザー装置との近接性、ユーザーのレベル及び  又は活動、並びに使用中のユーザー装置によって記載する。シームレスなネットワーク認識システムが、ユーザー装置選択の主因子として近接性を利用する１つの例では、コンピュータで作業するユーザーは、コンピュータ画面上に姿勢改善ソフトウェアを表示させることになる。ユーザーが作業を中断してコンピュータの近くから離れると、姿勢改善ソフトウェアは、それ以上コンピュータ上で作動する必要がなくなり得る。センサー装置は、姿勢改善ソフトウェアシステムをシームレスに移行して、次の適切なユーザー装置上に表示する。このユーザー装置は、スマートフォン、タブレットコンピュータ、スマートウォッチ、他のウェアラブル装置、又はＯＰＰ通知表示若しくは活動のための他の適切な装置であってよい。さらに、センサー装置又はユーザー装置は、シームレスなネットワークセンシングのための機構として、特定のユーザー装置の能動的な使用に関する情報を中継し得る（すなわち、コンピュータワークステーションへの近接性、及び／又は、ユーザーが長時間にわたってスマートフォンの能動的使用状態にあることから、姿勢改善ソフトウェアがスマートフォン上に表示される）。ユーザーがランニングによるエクササイズを行うことを選択する別の例では、センサー装置によって検出される活動レベル及び動きのパターンから、最も適切なユーザー装置として、スマートフォンではなくスマートウォッチが選択される。これらの例に加えて、インターフェースを起動する適切な装置を決定するために、近接性及び活動の両方を利用するハイブリッドモデルが用いられてもよい。様々な実施形態では、装置間のシームレスな切り替えは、センサーによって自動的に行われてよく、又はユーザーによってマニュアル選択されてもよい。加えて、シームレスな切り替えの決定が、センサー装置によって、又はユーザー装置によって行われてもよい。
【００４８】
様々な実施形態では、１又は複数の加速度計が、ユーザーの姿勢を感知、特定し、ユーザーが一歩進んだ時、ユーザーが呼吸をした時、及びその呼吸が横隔膜呼吸であるかどうかを特定する。ジャイロスコープのデータは、ひねる動きを検出することによるユーザーの姿勢の特定、及び呼吸が横隔膜呼吸であるかどうかの特定に寄与する。ある実施形態では、ユーザーは、身体のどの部分（前、背中、腹部、首など）に装置が装着されることになるかを装置又はシステム上でマニュアル設定し得る。他の実施形態では、システムは、身体のどの部分に装置が配置されているかを自動的に検出し、特定するようにプログラムされていてもよく、装置が身体の異なる部分に移動された場合、装置は、これを特定して、その機能を身体の新しい位置で作動するように切り替えてよい。ある実施形態では、心拍数モニターは、オフとされていてよく、又はシステムは、心拍数を表示から消してもよい。心拍数モニターをオフとすることにより、装置の電池を長持ちさせることが可能となり得る。温度計は、摂氏、華氏、又は両方で表示され得る。
【００４９】
図６Ａ〜６Ｃは、姿勢及び深呼吸改善システムインターフェースの１つの実施形態の図である。図６Ａ〜６Ｃは、ユーザー装置のディスプレイ上に示され得る呼吸動的グラフィックユーザーインターフェース５００を示す。インターフェース５００は、最適呼気吸気グラフィック５１５及び実際の動く動的呼吸グラフィック５２０、５２１、５２２を含んでよい動的表示５１０を含んでよい。図６Ａは、ユーザーが、横隔膜呼吸で吸気したことを示しており、それは、実際の動く動的呼吸グラフィック５２０が最適呼気吸気グラフィックまで、又はその近傍まで拡大するように、表示５１０に反映される。図６Ｂは、ユーザーが、横隔膜呼吸で呼気していることを示しており、それは、実際の動く動的呼吸グラフィック５２１が５３０に縮小していることによって示される。図６Ｃは、ユーザーが、横隔膜呼吸で吸気していることを示しており、それは、実際の動く動的呼吸グラフィック５２２が５３５に拡大していることによって示される。呼吸インターフェースは、好ましくは、実際の動く動的呼吸グラフィック５２０、５２１、５２２の拡大及び縮小を見ることによって、ユーザーが自身の横隔膜呼吸をモニタリングできるようにする。実際の動く動的呼吸グラフィック５２０、５２１、５２２の拡大は、最適には、システム又はユーザーによって設定された最適呼気吸気グラフィック５１５で最大となり得る。実際の動く動的呼吸グラフィック５２０、５２１、５２２及び最適呼気吸気グラフィック５１５は、円形及び広がる（伸縮するように拡大及び縮小する）ドット（又はボール）として示されるが、それが、ユーザーの実際の横隔膜呼吸をユーザーが見ることのできる動く表示に変換する限りにおいて、いかなる動的グラフィックユーザーインターフェース又は表示が用いられてもよい。ある実施形態では、動的呼吸グラフィックは、球形又は動く動的立体像などの３次元オブジェクトとして示されてもよい。
【００５０】
表示５１０はまた、呼気グラフィックも含んでいてよく、それは、最適呼気吸気グラフィック５１５よりも径の小さい円形であってよく、又はそれは、実際の動く動的呼吸グラフィック５２０、５２１、５２２の消滅（消えるまで縮小する）であってもよい。
【００５１】
ユーザーが自身の横隔膜呼吸を追跡可能である場合、ユーザーは、最適な横隔膜呼吸を行うように訓練され、このことは、ユーザーの身体的及び精神的健康状態を大きく改善し得る。
【００５２】
図７は、姿勢及び深呼吸改善システムインターフェースの別の実施形態の図である。図７に示されるように、インターフェース６５０は、理想的呼吸ガイドリング６５１を含んでよく、これは、広がったり縮んだりして、装置によって測定されたユーザーの実際の呼吸の描写である実際のユーザー呼吸ボール６５２に対する理想的ガイドとして作用する。この実施形態では、ユーザーは、１回の理想的な呼吸、吸気及び呼気、又は複数回の理想的な呼吸を行うように誘導され得る。
【００５３】
図８は、姿勢及び深呼吸改善システムインターフェースの別の実施形態の図である。図８に示されるように、インターフェース６６０は、理想的呼吸ガイドリング６６１を含んでよく、これは、広がったり縮んだりして、装置によって測定されたユーザーの実際の呼吸の描写である実際のユーザー呼吸ボール６６２に対する理想的ガイドとして作用する。この実施形態では、ユーザーは、１回の理想的な呼吸、吸気及び呼気、又は複数回の理想的な呼吸を行うように誘導され得る。インターフェース６６０はまた、呼吸指示６６５、現在の心拍数６６４、呼吸セッションの残り時間６６７、及びセッションのサイクル数及び完了したセッション数を示すセッショングラフィック６６９も含んでよい。セッション進行グラフィック６６９は、３つのセッションのうちの最初が完了したことを示す。図８はまた、インターフェースが、吸気６７１、停止６７２、呼気６７３、及び停止６７４を含み得るサイクル時間メーター６７０を有してよいことも示す。インターフェース６６０は、一連の最適深呼吸にユーザーを導いてよく、タイミング情報６６７、動く動的表示６６１、６６２、サイクルメーター６７０、及びセッション進行６６９が提供される。
【００５４】
図９は、姿勢及び深呼吸改善システムインターフェースの別の実施形態の図であり、設定画面を示す。図９に示されるように、ユーザーがインターフェース９００上の設定ボタン９０３をクリックするか、又はそれ以外で選択した場合、ユーザーには、ミュート／ミュート解除９０８、振動／振動なし９０６、クイック設定９１０、及びＯＰＰ設定９０４を含むオプションが提示され得る。
【００５５】
図１０は、姿勢及び深呼吸改善システムインターフェースの別の実施形態の図であり、ポーズ画面を示す。ユーザーがインターフェース１０００のポーズアイコン又はボタン１００１をクリックすると、システムは一時停止し得る。システムが一時停止すると、ポーズアイコン１００１はプレイアイコン１００１となってよく、これがクリックされると、システムが開始され得る。
【００５６】
図１１は、姿勢及び深呼吸改善システムインターフェースの別の実施形態の図であり、ダッシュボード画面を示す。ユーザーがインターフェース４００上のダッシュボードアイコン６０５を選択すると、ダッシュボード１１００がプルアップされ得る。図１１に示されるように、ダッシュボードは、センサー装置の使用に関する詳細な情報を含んでよく、ユーザーが自身の進行を追跡し得る方法である。ダッシュボード１１００は、一覧表示、並びにグラフィックユーザーインターフェースを介してユーザーに情報及びグラフを提供する様々なウィジェットを有し得る。ダッシュボード１１００は、あいさつ、報酬（称賛（Pats））、ユーザープロフィール／アバター、装着時間、体重グラフ、心拍数追跡、活動時間、歩数、ＯＰＰ（良好な姿勢）維持時間のパーセント、Ｍｅ／Ｍｏ、及びＯＰＰインターフェースを含んでいてよい一覧表示１１０１を含み得る。ダッシュボード１１００はまた、進行追跡１１０２、姿勢レポート１１０３、自分の時間（Me Moment）（Ｍｅ／Ｍｏ）の詳細１１０４、心拍数１１０５、歩数１１０６、新規メッセージ１１１０、入力インターフェース１１１２（ユーザーが、体重、体質量、又は体格指数などのデータを入力できるようにし得る）、現在のチャレンジ１１１４、呼吸チャレンジ１１１６、さらにチャレンジを見るためのリンク１１１７、及びダッシュボードタブ１１９９も含み得る。
【００５７】
図１２は、姿勢及び深呼吸改善システムインターフェースの別の実施形態の図であり、ＨＵＤ画面を示す。ユーザーがインターフェース１４００の姿勢ボール１４３０をクリックすると、ＨＵＤがポップアップし、これは、装着時間１４４０、歩数１４４１、姿勢レポート１４４２、体重１４４３、報酬１４４４、温度１４４５、Ｍｅ／Ｍｏ１４４６、及びユーザーの状態１４４７（絵文字で示され得る）を含み得る。ユーザーがボール１４３０のクリックを離すか、又は再クリックすると、ＨＵＤは引っ込むか消滅し得る。
【００５８】
図１３は、姿勢及び深呼吸改善システムインターフェースの別の実施形態の図であり、Ｍｅ／Ｍｏ画面１６５０を示す。Ｍｅ／Ｍｏ画面１６５０は、ポップアップして、ユーザーがストレッチ休憩又は呼吸休憩１６５１のための個人的な時間を取るように提案し得る。ユーザーは、開始１６５２をクリックすることによってこれを開始し得る。図１１に示されるように、Ｍｅ／Ｍｏ時間は、測定され、追跡され得る。
【００５９】
図１４は、姿勢及び深呼吸改善システムインターフェースの別の実施形態の図であり、ダッシュボード設定画面を示す。図１４に示されるように、ユーザーは、ダッシュボードタブ１１９９にある設定を選択してよく、それは、ＯＰＰ設定１１５０及び装置／装置の位置１１５１をプルアップする。ダッシュボード一覧１１０１は、ダッシュボード表示１１００上に残され得る。これにより、ユーザーは、ＯＰＰ（歩く、座る、立つ、作業、運転、ピアノ演奏など）をマニュアル設定できるようになり得る。
【００６０】
図１５は、センサー装置のためのホルダー及びハーネスの１つの実施形態の図である。図１５は、装置１００が、装置１００の横側溝部１９８でホルダー６３５に嵌め込まれるように構成され得ることを示している。ホルダー６３５は、姿勢及び呼吸装置１００を、恒久的に、又は着脱可能に保持するように構成されていてよい。ホルダー６３５は、ユーザーが装着するように構成され得るハーネス６１０と、恒久的に、又は着脱可能に接続されていてよい。ハーネス６１０は、好ましくは、ユーザーの姿勢、呼吸、心拍数などを検出し、特定するように、ユーザーに近接して、複数の特定の配置のうちの１つに装置１００を保持し得る。ホルダー６３５及びハーネス６１０は、ホルダー６３５の自由な範囲の動きを可能とするボールソケットなどのヒンジによって接続され得る。ハーネス６１０は、装置をユーザー近傍に適切に配置し、所定の位置に保持する限りにおいて、剛性、可撓性、固定、調節可能、又はポーザブルであってよい。
【００６１】
ハーネス及びホルダーが装置を適切な位置に保持するために用いられる場合、装置は、頭を傾ける、屈む、ひねる、回転する、立つ、座る、歩く、乗る、自転車に乗る、走る、及びストレッチをする、を含むユーザーのほとんどすべての動きを感知し、測定し得る。好ましくは、ハーネスは、屈曲可能、可撓性、及び／又は好ましいようにポーザブルであってよい。このように、ユーザーは、心地良さのために、及び使用中に装置を実質的に同じ位置に維持するために、ハーネスを自身の身体構造に合わせることができる。好ましい実施形態では、ハーネスは、ユーザーの心地良さを最大化するように構成され得る。ハーネスは、形状記憶合金で構築されたポーザブルでしっくり合うワイヤ（又は並べられた／包まれた／縒り合された多くのワイヤ）を収容した心地良いプラスチックコーティングを含み得る。ニッケルチタン（ＮｉＴｉ）などの形状記憶合金は、一般的に、ＳＭＡ、スマート金属、記憶金属、記憶合金、マッスルワイヤ、又はスマート合金とも称される。この方法では、ハーネスは、加熱又は荷電され、特定の形状とされ、次に冷却又は電荷除去されてよく、それによって、ハーネスはその後、この特定形状を保持する。好ましくは、装置は、装着者の多くの異なる位置で保持されてよい。
【００６２】
図１６は、センサー装置のためのホルダーの別の実施形態の図である。図１６に示されるように、ホルダー７００の１つの実施形態は、リング７１０、嵌め合わせ用突起部７２０、及びコネクタ７３０を含み得る。リング７１０及び嵌め合わせ用突起部７２０は、姿勢及び呼吸装置がホルダー７００によってしっかりと適切な方向に保持されるように、嵌め合わせによって姿勢及び呼吸装置と係合されるように構成され得る。
【００６３】
図１７は、ポーザブルハーネスの１つの実施形態の図である。ポーザブルハーネス１５００は、後ろ部分１５０４、前部分１５０３、肩部分１５０２、及びイヤホン（ヘッドホン）１５０１を含み得る。ポーザブルハーネス１５００は、心地良く落ち着く形でユーザーの肩に嵌め合わせによってぴったりフィットするように構成される。センサー装置は、後ろのくぼんだ部分１５０５でハーネス１５００と接続され得る。図１７は、ポーザブルハーネス１５００が、ユーザーに銅関連の追加の有益性を提供する外装銅コイルから構築され得ることを示す。
【００６４】
図１８は、格納式ヘッドホンを示すポーザブルハーネスの１つの実施形態の図である。図１８は、ユーザー１５９９が、その外装なしで示されるハーネス１６００を、嵌め合わせによってユーザーの肩にしっくり合う方法で着用し得ることを示す。ハーネス１６００は、イヤホンを使用し、その後格納してしまい込むことができるようにする格納装置１６０２を有するイヤホン又はヘッドホン１６０１を有し得る。これにより、ユーザーは、センサー装置を適切に保持すること及びオーディオエンタテイメントを聞くことというハーネス１６００の二重の利用ができるようになる。
【００６５】
特に断りのない限り、以下の請求項を含む本明細書に示される測定値、数値、評価、位置、大きさ、サイズ、場所、及び、他の仕様はすべて、近似であり、厳密なものではない。これらは、これらが関連する機能、及びこれらが属する技術分野において通例であるものと一致する合理的な範囲を有することを意図している。
【００６６】
好ましい実施形態の上記記述は、例示及び記述の目的で示されたものである。複数の実施形態が開示されるが、例示的実施形態を示し、述べる上記の詳細な記述から、当業者であれば、さらに他の実施形態が明らかとなるであろう。これらの実施形態は、すべて保護の趣旨及び範囲から逸脱することなく、様々な明らかな態様の変更が可能である。したがって、詳細な記述は、限定的ではなく、例示的性質として見なされるべきである。また、明示的に列挙されてはいないが、１又は複数の実施形態は、互いに組み合わされて、又は関連付けて実施されてもよい。さらに、特定の実施形態に言及すること、又は言及しないことが、保護の範囲を限定するものとして解釈されてはならない。範囲は、この詳細な記述によって限定されるものではなく、本明細書に添付の請求項及び請求項に対する均等物によって限定されることを意図している。
【００６７】
すぐ上に記載したものを除いて、記載された又は例示されたものはいずれも、請求項に列挙されているか又はされていないかに関わらず、いかなるコンポーネント、工程、特徴、目的、有益性、利点、又は均等物も公衆に献上することを意図するものではないか、又はそのように解釈されるべきではない。 
【図１】
2019155078.tif 000003
【図２】
2019155078.tif 000004
【図３】
2019155078.tif 000005
【図４Ａ】
2019155078.tif 000006
【図４Ｂ】
2019155078.tif 000007
【図４Ｃ】
2019155078.tif 000008
【図５】
2019155078.tif 000009
【図６Ａ】
2019155078.tif 000010
【図６Ｂ】
2019155078.tif 000011
【図６Ｃ】
2019155078.tif 000012
【図７】
2019155078.tif 000013
【図８】
2019155078.tif 000014
【図９】
2019155078.tif 000015
【図１０】
2019155078.tif 000016
【図１１】
2019155078.tif 000017
【図１２】
2019155078.tif 000018
【図１３】
2019155078.tif 000019
【図１４】
2019155078.tif 000020
【図１５】
2019155078.tif 000021
【図１６】
2019155078.tif 000022
【図１７】
2019155078.tif 000023
【図１８】
2019155078.tif 000024